(57)【要約】【課題】データ形式の異なる文書・図面データであっても、編集前後の閲覧用データを並べて閲覧することができ、編集前後の差異箇所を容易に判別することができる表示システムを得る。【解決手段】複数のデータ形式の文書・図面データ１から所定の１個のデータ形式の閲覧用データ２を生成するビューデータ生成部４を設け、ファイル情報管理部３により、文書・図面データ１及び閲覧用データ２を関連付けて管理し、このファイル情報管理部３の管理する閲覧用データ２を表示制御部７により表示部６に表示するようにし、文書・図書データ１が編集された場合には、編集前の文書・図書データ１から生成された閲覧用データ２の表示画面と、編集後の文書・図書データ１から生成された閲覧用データ２の表示画面を表示部６で並べて表示するようにした。【選択図】図１
2008117053.tif 000002
【特許請求の範囲】
【請求項１】
複数のデータ形式の文書・図面データから所定の１個のデータ形式の閲覧用データを生成するビューデータ生成手段、上記文書・図面データ及び上記閲覧用データを関連付けて管理するファイル情報管理手段、このファイル情報管理手段の上記閲覧用データを画面表示する表示手段、及びこの表示手段を制御する表示制御手段を備え、上記表示手段は、上記文書・図書データが編集されたときは、上記表示画面上で操作されることにより、編集前の文書・図書データから生成された閲覧用データの表示画面と、編集後の文書・図書データから生成された閲覧用データの表示画面を並べて表示することを特徴とする表示システム。
【請求項２】
上記表示制御手段は、上記並べて表示された編集前後の表示画面の一方の表示画面で行った操作を他の表示画面に反映させることを特徴とする請求項１記載の表示システム。
【請求項３】
上記表示制御手段は、上記並べて表示された編集前後の表示画面を重ね合わせて表示すると共に、上記重ね合わせた編集前後の表示画面の差異を抽出する差異抽出手段を備えたことを特徴とする請求項１または請求項２記載の表示システム。
【請求項４】
上記表示制御手段は、上記表示画面上にコメント付きの付箋及びマーカを付加することを特徴とする請求項１〜請求項３のいずれかに記載の表示システム。
【請求項５】
上記表示制御手段は、上記ファイル情報管理手段から上記閲覧用データの表示画面に対応する文書・図面データを取得することを特徴とする請求項１〜請求項４のいずれかに記載の表示システム。
【発明の詳細な説明】
【技術分野】
【０００１】
この発明は、形式の異なる文書及び図面データを統一して表示する表示システムに関するものである。
【背景技術】
【０００２】
従来の表示装置では、ファイルをビューデータに変換し、そのデータを表示する機能（例えば、特許文献１参照）や、修正・更新の情報について、差分データのみを自動的に保存する機能を持っている。
また、画像データを対象として編集前後のビューデータを並べて表示する機能を持つ装置もある（例えば、特許文献２参照）。
【０００３】
【特許文献１】特開２０００−１１２８０３号公報（第５〜８頁、図１）
【特許文献２】特開２０００−０２９１９６号公報（第３〜１１頁、図１）
【発明の開示】
【発明が解決しようとする課題】
【０００４】
従来の表示装置は、形式の異なる文書・図面ファイルを所定の１個のデータ形式に変換し、それを表示する機能は持っており、ユーザは形式の異なる文書について、同じソフトで内容を閲覧できていた。
しかし、ユーザがその文書・図面ファイルに対して編集を行ったとき、ユーザはソフトの画面を複数起動して、編集前と編集後のビューデータをユーザがソフトの画面をいちいち切り替えて表示する必要があったり、編集箇所及び内容についての情報を、ユーザ自身が何らかの手段で残したりすることが必要であった。
そのため、ユーザはその文書・図面ファイルの編集箇所がどこかを一目して判別することが困難であった。
また、特許文献２の画像データを対象として編集前後のビューデータを並べて表示する機能を持つものでは、単に画像データの編集前後の比較ができるに過ぎず、形式の異なる文書・図面ファイルを統一して、同じソフトで閲覧できるようにしたものではなく、このような文書・図面ファイルの編集前後の比較ができるものではなかった。
【０００５】
この発明は、上記のような課題を解決するためになされたものであり、データ形式の異なる文書・図面データであっても、編集前後の閲覧用データを並べて閲覧することができ、編集前後の差異箇所を容易に判別することができる表示システムを得ることを目的としている。
【課題を解決するための手段】
【０００６】
この発明に係わる表示システムは、複数のデータ形式の文書・図面データから所定の１個のデータ形式の閲覧用データを生成するビューデータ生成手段、文書・図面データ及び閲覧用データを関連付けて管理するファイル情報管理手段、このファイル情報管理手段の閲覧用データを画面表示する表示手段、及びこの表示手段を制御する表示制御手段を備え、表示手段は、文書・図書データが編集されたときは、表示画面上で操作されることにより、編集前の文書・図書データから生成された閲覧用データの表示画面と、編集後の文書・図書データから生成された閲覧用データの表示画面を並べて表示するものである。
【発明の効果】
【０００７】
この発明は、以上説明したように、複数のデータ形式の文書・図面データから所定の１個のデータ形式の閲覧用データを生成するビューデータ生成手段、文書・図面データ及び閲覧用データを関連付けて管理するファイル情報管理手段、このファイル情報管理手段の閲覧用データを画面表示する表示手段、及びこの表示手段を制御する表示制御手段を備え、表示手段は、文書・図書データが編集されたときは、表示画面上で操作されることにより、編集前の文書・図書データから生成された閲覧用データの表示画面と、編集後の文書・図書データから生成された閲覧用データの表示画面を並べて表示するので、データ形式の異なる文書・図面データであっても、編集前後の閲覧用データを並べて閲覧することができ、編集前後の差異箇所を容易に判別することができる。
【発明を実施するための最良の形態】
【０００８】
実施の形態１．
以下、この発明の実施の形態１を図に基づいて説明する。
図１は、この発明の実施の形態１による表示システムを示す構成図である。
図１において、ファイル情報管理部３（ファイル情報管理手段）は、データ形式の異なるデータを格納した文書・図面データ（以下、ファイルという。）１や、閲覧のために統一的に使用する所定の１個のデータ形式で表現された閲覧用データ（以下、ビューデータという。）２の管理を行う。ビューデータ生成部４（ビューデータ生成手段）は、データ形式の異なるデータを格納したファイル１から、所定の１個のデータ形式で表現されたビューデータ２を作成する。ファイル情報管理部３は、さらにファイル１に関する管理データ５を管理している。管理データ５は、タイムスタンプに基づき、編集前後のファイル１及びビューデータ２を管理するデータである。表示部６（表示手段）は、ユーザが指定したファイル１に対応するビューデータ２を画面表示する。表示制御部７（表示制御手段）は、表示部６を制御する。
なお、ファイル１の各データの編集は、ユーザが別途行い、編集前後のデータは、ファイル情報管理部３により関連付けられて管理される。
また、上述の表示部６と表示制御部７は、ユーザのパソコン上に構築し、その他は、サーバ装置上に構築してネットワークにより接続することができる。
【０００９】
図２は、この発明の実施の形態１におる表示システムの表示画面例を示す図である。
図２において、スクロールボタン１１、拡大ボタン１２、縮小ボタン１３、見比べ表示ボタン１４の各ボタンが設けられ、見比べ表示ボタン１４を操作することにより、表示画面１５は、編集前後のデータを並べて表示する表示画面１７と表示画面１６とに分かれる。
【００１０】
次に、動作について説明する。
ユーザが、表示制御部７を通じてファイル情報管理部３で管理されているファイル１の一つを指定すると、ファイル情報管理部３は、管理データ５を参照して、指定したファイル１の一つに対応するビューデータ２を取得してくる。取得されたビューデータ２は、表示部６へと渡されて、表示部６では、ビューデータ２の表示を行う。
ユーザがファイル１の一つに対して編集を実施したとき、編集後のビューデータ２が新たに生成され、管理される。このとき、編集前のビューデータ２は、ファイル情報管理部３で編集後のビューデータ２との関連付けが行われ、管理データ５に格納される。
これにより、ユーザが編集されたファイル１を表示しようとした際、その関連付けられた情報を利用して、表示部６に編集前のビューデータ２をも並べて表示できるようになり、編集前後の差異箇所を容易に判別することが可能になる。
また、ユーザは、図２にある画面上部の各ボタンを押すことで、ビューデータ２に対する操作を実行し、編集前のビューデータ２の表示／非表示を切替えたり、表示しているビューデータ２に対して閲覧するための各種操作（拡大、縮小、スクロール）を行うことが可能である。
【００１１】
実施の形態１によれば、データ形式の異なる文書・図面データについて、編集前後のビューデータを並べて閲覧することができ、編集前後の差異箇所を容易に判別することができる。
【００１２】
実施の形態２．
図３は、この発明の実施の形態２による表示システムの表示画面例を示す図である。
図３において、１１〜１４、１６、１７は図２におけるものと同一のものである。図３では、表示部でユーザが編集前後の画面のいずれかで行った操作を認識し、他の画面でも同じ操作が行われたような表示を自動的に行うようにした。図３の例では、一方の画面１６で拡大ボタン１２を操作すると、画面１６は画面１８のように拡大されるが、この操作は他の画面１７にも反映され、画面１７も画面１９のように拡大される。
【００１３】
実施の形態１では、編集前後のビューデータを並べて表示することで、差異の判別を容易に行うことを実現したが、ファイルの内容が表示画面内に収まらなかった場合、ユーザは画面を操作して、差異の有無を確認する必要がある。このとき、両方のビューデータそれぞれについてユーザが操作を行う必要がある。一方の画面で行った操作をもう一方の画面に対しても行う必要があり、その場合、ユーザは同じ動作を２回実施することになる。
そこで、実施の形態２では、表示部６にユーザが一方の画面で行った操作を認識し、その情報を表示制御部７に送った後、表示制御部７がもう一方の画面の表示操作を行うようにする。
これにより、ユーザが表示画面の一方で行った操作を、もう一方の表示画面についても自動的に行ったようになり、ユーザの操作は１回行えばよいようになる。
【００１４】
実施の形態２によれば、ユーザは一方の表示画面で行った操作が他の表示画面にも反映されるので、常に同じ箇所を、同じ見え方で見比べることが出来るようになり、より確実な差異の発見が可能となる。
【００１５】
実施の形態３．
図４は、この発明の実施の形態３による表示システムを示す構成図である。
図４において、１〜７は図１におけるものと同一のものである。図４では、左右に並べた画像を、重ね合わせて表示する機能を表示制御部７に組み込むと共に、サーバ装置に重ね合わされた画面の編集前後のデータの差異を抽出する差異抽出部８（差異抽出手段）を設けている。
【００１６】
実施の形態１及び実施の形態２では、編集前後のビューデータを並べて表示することで、差異の確認を容易に行うことを実現したが、図面データのようにビューデータ中に大量の線分や図形が含まれる場合、左右に並べた画像からユーザの目で差異を見つけることは難しい。
そこで、実施の形態３は、左右に並べた画像を、重ね合わせて表示する機能を表示制御部７に組み込み、ユーザの操作により、ビューデータの重ね合せする機能を実現する。
さらに、図４のように、重ね合わせたデータについて差異を抽出する機能である差異抽出部８を付加し、ここで差異のデータを生成した後、そのデータを表示部６へ送り画面表示に反映することで、より明確に差異をユーザに認識させるようにする。
【００１７】
実施の形態３によれば、ユーザは目視で差異の判別が困難なデータについても、容易に差異を判断することが出来るようになる。
【００１８】
実施の形態４．
図５は、この発明の実施の形態４による表示システムを示す構成図である。
図５において、１〜７は図１におけるものと同一のものである。図５では、表示制御部７に、ビューデータの表示画面上に、付箋・マーカ１０を擬似的に添付し、そこにコメントを記入できるようにする機能を設けると共に、サーバ装置にユーザが作成した付箋・マーカデータ１０を管理する付箋・マーカデータ管理部９を設けた。
【００１９】
実施の形態１〜実施の形態３では、編集が完了した後の差異をユーザが容易に判別するための仕組みについての機能を提供していたが、業務で扱うような文書の場合、編集を実施するユーザ（編集ユーザ）と、編集結果を確認し、処理を行うユーザ（確認ユーザ）が異なっている場合がある。この場合、業務の流れとして、最初に編集ユーザが文書を作成し、それを確認ユーザに送信、確認ユーザは、内容を確認して、修正すべき点を編集ユーザに伝えて、それを編集ユーザが実際に修正するという場合が発生する。このような場合、これまではお互いに修正指摘箇所及び修正実施箇所を口頭や文書等の手段で伝える必要があった。
そこで、実施の形態４は、表示制御部７に左右に並べたビューデータの表示画面上に、擬似的に付箋やマーカの情報を添付し、そこにコメントを記入できるようにする機能を追加すると同時に、図５のように付箋・マーカデータ管理部９を付け加えて、ユーザが作成した付箋・マーカデータ１０の管理を行うようにする。
【００２０】
実施の形態４によれば、編集ユーザと確認ユーザ間で別途やり取りをすることなく、編集箇所や内容に関する情報のやり取りが表示システムの表示画面上で容易に行うことができるようになる。
【００２１】
実施の形態５．
図６は、この発明の実施の形態５による表示システムを示す構成図である。
図６において、１〜７は図１におけるものと同一のものである。図６では、表示制御部７が、ファイル１をダウンロードにより取得できるようにした。
【００２２】
実施の形態１〜実施の形態４では、ビューデータを画面上で閲覧する方法について述べたが、ファイル１の中にはビューデータ２への変換を実施してしまうと、それまでユーザが判別できていた情報が欠落してしまい、差異の判別が困難になるようなデータが存在する。
そのような場合、ユーザは画面上からの判別が困難であるため、元のファイル１を入手して確認する必要がある。
そこで、実施の形態５は、図６のように表示部６及び表示制御部７に、画面で現在表示されているビューデータ２のオリジナルの文書・図面のファイル１について、ユーザのパソコンへダウンロードする機能を付加する。
従来の文書管理システムでは、編集前のデータと編集後のデータを版で管理し、それぞれ取得できる仕組みはあったが、システム画面上で取得するための機能が提供されているだけで、実際に見比べながら必要なものを取得するということはできなかった。
これに対して、実施の形態５では、それをユーザが表示部６で見比べた上で、必要に応じてオリジナルのデータを取得できるようにする。
【００２３】
実施の形態５によれば、ユーザの画面で現在表示されているビューデータのオリジナルの文書・図面のファイルを、ユーザのパソコンへダウンロードすることができ、差異の判別をし易くすることができる。
【図面の簡単な説明】
【００２４】
【図１】この発明の実施の形態１による表示システムを示す構成図である。
【図２】この発明の実施の形態１による表示システムの表示画面例を示す図である。
【図３】この発明の実施の形態２による表示システムの表示画面例を示す図である。
【図４】この発明の実施の形態３による表示システムを示す構成図である。
【図５】この発明の実施の形態４による表示システムを示す構成図である。
【図６】この発明の実施の形態５による表示システムを示す構成図である。
【符号の説明】
【００２５】
１  文書・図面データ（ファイル）、２  閲覧用データ（ビューデータ）、
３  ファイル情報管理部、４  ビューデータ生成部、５  管理用データ、
６  表示部、７  表示制御部、８  差異抽出部、９  付箋・マーカデータ管理部、
１０  付箋・マーカデータ、１１  スクロールボタン、１２  拡大ボタン、
１３  縮小ボタン、１４  見比べ表示ボタン。
【図１】
2008117053.tif 000003
【図２】
2008117053.tif 000004
【図３】
2008117053.tif 000005
【図４】
2008117053.tif 000006
【図５】
2008117053.tif 000007
【図６】
2008117053.tif 000008